(57)【特許請求の範囲】
【請求項１】
記憶手段と、音楽再生手段と、表示制御手段と、制御手段を備える音楽演奏装置であって、
前記記憶手段は、複数の曲データを記憶し、
前記曲データは、メロディデータを含む演奏データと、歌詞データとを含み、
前記音楽再生手段は、前記制御手段の制御に従って前記演奏データを再生し、
前記表示制御手段は、前記制御手段の制御に従って前記表示手段に表示を行い、
前記制御手段は、比較処理と、確認処理を可能とし、
前記比較処理は、選択された曲データの演奏データを前記音楽再生手段に再生させ、当該曲データの歌詞データを前記表示制御手段に再生表示させると共に、演奏中のメロディデータとマイクから入力される音声データとを比較して音程、及び、テンポのずれを示す比較結果データを曲データの対応箇所に埋め込み、
前記確認処理は、選択された曲データに音程、及び、テンポのずれを示す比較結果データが埋め込まれている場合、当該曲データの歌詞データを前記表示制御手段に再生表示させると共に、当該曲データ中に埋め込まれた比較結果データの音程のずれを上下の向きで、テンポのずれを左右の向きで表現した１の矢印にて歌詞に対応付けて表示させることを特徴とする音楽演奏装置。
【請求項２】
前記比較処理における音声データとメロディデータとが比較による音量のずれを含み、前記確認処理は、前記比較結果データの音量のずれを矢印の色で表現することを特徴とする請求項１記載の音楽演奏装置。
【請求項３】
前記確認処理は、選択された曲データの演奏データを前記音楽再生手段に再生させるか否かを利用者の入力に従って選択可能とすることを特徴とする請求項１又は２記載の音楽演奏装置。
【請求項４】
前記確認処理は、曲データにおいて比較結果データが最も悪い部分を再生させることを特徴とする請求項１乃至３のいずれか一項に記載の音楽演奏装置。
【発明の詳細な説明】
【０００１】
【発明の属する技術分野】
この発明は、曲データに基づいて音楽を再生し、その音楽に合わせて入力される歌唱音声に基づいて歌唱力を採点する歌唱力採点機能を備えたパーソナルコンピュータ，カラオケ装置，通信カラオケ装置等の音楽演奏装置に関する。
【０００２】
【従来の技術】
近年、曲データに基づいて音楽を再生し、その音楽に合わせて入力される歌唱音声に基づいて歌唱力を採点する歌唱力採点機能を備えたカラオケ装置等の音楽演奏装置が多用されている。
【０００３】
従来の音楽演奏装置の歌唱力採点機能は（例えば、特開平４−３５６０９３号公報参照）、マイクからの音声データと、演奏データであるＭＩＤＩデータ内のメロディデータとを比較し、歌声の強さ，音程のずれ，リズムのずれなどを検出し、その検出結果に基づいて歌唱力の評価を示す得点を求め、その得点をリアルタイムに表示したり、音楽の終了時に表示したりするものであり、利用者は歌唱中や歌唱後に総合評価を知ることができた。
【０００４】
【発明が解決しようとする課題】
しかしながら、従来の音楽演奏装置では、利用者が歌唱後に、歌詞中のどの個所をどのように歌えば歌唱力を評価する得点が上がるのかを知ることができず、繰り返し歌っても歌唱力が容易に向上しないという問題があった。
この発明は上記の点に鑑みてなされたものであり、利用者が歌唱後にどの個所をどのように歌えば良いかを具体的に確認しながら再度歌唱できるようにすることを目的とする。
【０００５】
【課題を解決するための手段】
この発明は上記の目的を達成するため、記憶手段と、音楽再生手段と、表示制御手段と、制御手段を備える音楽演奏装置であって、上記記憶手段は、複数の曲データを記憶し、上記曲データは、メロディデータを含む演奏データと、歌詞データとを含み、上記音楽再生手段は、上記制御手段の制御に従って上記演奏データを再生し、上記表示制御手段は、上記制御手段の制御に従って上記表示手段に表示を行い、上記制御手段は、比較処理と、確認処理を可能とし、上記比較処理は、選択された曲データの演奏データを上記音楽再生手段に再生させ、当該曲データの歌詞データを上記表示制御手段に再生表示させると共に、演奏中のメロディデータとマイクから入力される音声データとを比較して音程、及び、テンポのずれを示す比較結果データを曲データの対応箇所に埋め込み、上記確認処理は、選択された曲データに音程、及び、テンポのずれを示す比較結果データが埋め込まれている場合、当該曲データの歌詞データを上記表示制御手段に再生表示させると共に、当該曲データ中に埋め込まれた比較結果データの音程のずれを上下の向きで、テンポのずれを左右の向きで表現した１の矢印にて歌詞に対応付けて表示させる音楽演奏装置を提供する。
【０００６】
また、上記比較処理における音声データとメロディデータとが比較による音量のずれを含み、上記確認処理は、上記比較結果データの音量のずれを矢印の色で表現するとよい。
【０００７】
さらに、上記確認処理は、選択された曲データの演奏データを上記音楽再生手段に再生させるか否かを利用者の入力に従って選択可能とするとなおよい。
【０００８】
さらにまた、上記確認処理は、曲データにおいて比較結果データが最も悪い部分を再生させるとさらによい。
【０００９】
この発明の請求項１の音楽演奏装置は、曲データを再生するとき、音楽の進行と同期させて上記比較結果データに基づいて音程のずれを上下の向きで、テンポのずれを左右の向きで表現した１の矢印によって歌詞に対応付けて表示させるので、歌唱後にどの個所をどのように歌えば良いかを音楽の進行と共に具体的に知ることができ、それを確認しながら再度歌唱して練習することができる。
【００１０】
また、この発明の請求項２の音楽演奏装置は、音量のずれを矢印の色で表現することができる。
【００１１】
さらに、この発明の請求項３の音楽演奏装置は、選択された曲データの演奏データを音楽再生手段に再生させるか否かを利用者の入力に従って選択可能とすることができる。
【００１２】
さらにまた、この発明の請求項４の音楽演奏装置は、曲データにおいて比較結果データが最も悪い部分を再生させるので、利用者は比較結果が悪かった個所を繰り返し歌い直して練習することができる。
【００１３】
【発明の実施の形態】
以下、この発明の実施の形態を図面に基づいて具体的に説明する。
図１は、この発明の一実施形態である通信カラオケ装置の構成を示すブロック図である。この通信カラオケ装置は、マイクロコンピュータによって実現され、システムバス１，ＣＰＵ２，ＲＯＭ３，ＲＡＭ４，ＤＭＡＣ５，ＩＮＴＣ６，タイマ（ＴＩＭＥＲ）７，シリアルインタフェース（ＳＥＲＩＡＬ・Ｉ／Ｆ）８と２２，コントロールパネル９，リモコン１０，グラフィック制御部１１，ビデオ（ＶＩＤＥＯ）制御部１２，テレビモニタ１３，スピーカ１４，オーディオ（ＡＵＤＩＯ）制御部１５，音源ボード１６，アンプ１７，マイク１８，通信制御部１９，ＩＳＤＮインタフェース（ＩＳＤＮ・Ｉ／Ｆ）２０，ＩＳＤＮ２１，ＶＣＤプレーヤ２３，スカジーインタフェース（ＳＣＳＩ・Ｉ／Ｆ）２４，及びハードディスク装置（ＨＤＤ）２５からなる。
【００１４】
システムバス１は、上記各部間でデータをやり取りするための通信線である。ＣＰＵ２は、この通信カラオケ装置全体の制御を司り、この発明に係る各種の処理等を行なう。ＲＯＭ３は、ＣＰＵ２が実行する各種の制御プログラムを記憶する。ＲＡＭ４は、ＣＰＵ２が各種の処理を行なうときに使用する作業エリアである。
【００１５】
コントロールパネル９は、カラオケの演奏曲の予約時の曲番号入力や、演奏時のテンポ又はキーの調整入力や、その他の入力操作を行なう。
リモコン１０は、コントロールパネル９による操作を遠隔操作で行なう。
【００１６】
グラフィック制御部１１は、曲データ中の歌詞データに基づく歌詞を、テレビモニタ１３に表示されている背景映像上にオーバーレイ表示させる処理、演奏曲の再生に同期させて歌詞の色変え表示する処理、及び曲データ中の比較結果データに基づく比較結果をテレビモニタ１３に表示する処理等を行なう。
【００１７】
ビデオ制御部１２は、曲データに対応する背景映像データに基づく背景映像をＮＴＳＣ信号に変換してテレビモニタ１３に表示する処理、テレビモニタ１３上にピクチャインピクチャ表示（ＰｉｎＰ）する処理、スプリット表示する処理、及び曲データ中の比較結果データに基づく比較結果をテレビモニタ１３に表示する処理等を行なう。
【００１８】
テレビモニタ１３は、背景映像と、その背景映像に演奏中の演奏曲の歌詞を表示し、曲データ中の比較結果データに基づく比較結果を表示する。
スピーカ１４は、アンプ１７から出力される演奏曲の再生信号に基づくカラオケ演奏音楽と、マイク１８から入力される音声信号（音声データ）に基づく歌唱音を出力する。
【００１９】
オーディオ制御部１５は、マイク１８から入力される音声信号に対するエフェクト処理，演奏曲の再生信号に対するエフェクト処理，この発明に係る比較結果を検出する処理等を行なう。
音源ボード１６は、曲データ中の演奏データに基づいてデジタル再生信号を各種楽器や効果音に変換してアナログの再生信号を出力する。
アンプ１７は、音源ボード１６から出力される演奏曲の再生信号とマイク１８から入力される音声信号をそれぞれ増幅してスピーカ１４へ出力する。
【００２０】
マイク１８は、ユーザがスピーカ１４から出力されるカラオケ演奏音楽に合わせて歌唱する音声の音声信号を入力する。
通信制御部１９は、ＩＳＤＮ２１を介して外部のホスト装置からＭＩＤＩデータ等の演奏データ（メロディデータを含む），歌詞データ，その他の情報からなる曲データを受信し、通信カラオケ装置の制御情報をホスト装置へ送信する通信制御を行なう。
【００２１】
ＩＳＤＮ・Ｉ／Ｆ２０は、ＩＮＳ６４等の基本インタフェース（Ｉ／Ｆ）を装備し、ＩＳＤＮ２１との接続処理を行なう。
ＶＣＤプレーヤ２３は、ＶＣＤ等のメディアに記録されたテレビモニタ１３に表示する背景映像の画像データを再生して出力する処理を行なう。
【００２２】
ＳＣＳＩ・Ｉ／Ｆ２４は、ＨＤＤ２５に対する曲データ，及び各種の制御情報等の情報の書き込み及び読み出しの制御を行なう。
ＨＤＤ２５は、多数のカラオケ音楽の演奏曲の曲データ（演奏データ，歌詞データ等からなる），多様な比較結果データに対応する歌唱指導データ，及び各種の制御情報等の情報を記憶する記憶装置である。
【００２３】
すなわち、上記ＨＤＤ２５がメロディデータを含む演奏データと、歌詞データとを含む複数の曲データを記憶する記憶手段の機能を果たし、上記ＣＰＵ２は制御手段の機能を果たし、上記音源ボード１６が制御手段の制御に従って演奏データを再生する音楽再生手段の機能を果たし、上記グラフィック制御部１１が制御手段の制御に従って表示手段に相当するテレビモニタ１３に表示を行う表示制御手段の機能を果たす。
【００２４】
また、上記マイク１８が上記音楽に合わせて歌唱される歌唱音声集音してその音声データを入力する歌唱音声入力手段の機能を果たし、上記ＣＰＵ２，オーディオ制御部１５が、比較処理と、確認処理を可能とし、上記比較処理で、選択された曲データの演奏データを上記音楽再生手段に再生させ、当該曲データの歌詞データを上記表示制御手段に再生表示させると共に、演奏中のメロディデータとマイクから入力される音声データとを比較して音程、及び、テンポのずれを示す比較結果データを曲データの対応箇所に埋め込み、上記確認処理で、選択された曲データに音程、及び、テンポのずれを示す比較結果データが埋め込まれている場合、当該曲データの歌詞データを上記表示制御手段に再生表示させると共に、当該曲データ中に埋め込まれた比較結果データの音程のずれを上下の向きで、テンポのずれを左右の向きで表現した１の矢印にて歌詞に対応付けて表示させる機能を果たす。
【００２５】
さらに、上記ＣＰＵ２，グラフィック制御部１１は、上記比較処理における音声データとメロディデータとが比較による音量のずれを含み、上記確認処理で、上記比較結果データの音量のずれを矢印の色で表現する機能を果たす。
【００２６】
また、上記ＣＰＵ２は、上記確認処理で、選択された曲データの演奏データを上記音楽再生手段に再生させるか否かを利用者の入力に従って選択可能とする機能を果たす。
【００２７】
さらに、上記ＨＤＤ２５が上記比較結果データ毎の歌唱指導データを記憶する歌唱指導データ記憶手段の機能を果たし、上記ＣＰＵ２，グラフィック制御部１１等が上記比較結果データが埋め込まれた曲データを再生するとき、音楽の進行と同期させて上記比較結果データに基づく比較結果の表示に代えて、上記歌唱指導データ記憶手段に記憶されている上記比較結果データに対応する歌唱指導データに基づく歌唱指導音声を出力する歌唱指導音声出力手段の機能を果たす。
【００２８】
さらにまた、上記ＣＰＵ２は、上記確認処理で、曲データにおいて比較結果データが最も悪い部分を再生させる機能を果たす。
【００２９】
図２は、上記テレビモニタ１３上の歌詞表示例を示す図である。
曲データの再生時、スピーカ１４から演奏データに基づくカラオケ音楽が出力され、テレビモニタ１３上には曲データ中の歌詞データに基づく歌詞、例えば、「傘が無いわけじゃーないけーれど帰りたくなーい。」が表示される。その歌詞デーは曲に合わせてページ単位や行単位で編集されており、再生時には音楽の進行と同期してページ単位又は行単位の歌詞を順次表示する。また、曲のテンポに同期して歌唱部分の表示色を順次変化させる。
【００３０】
図３は、歌詞データ中の歌詞色変えタイミングデータのフォーマットの一例を示す図である。
上記歌詞データに対する歌詞色替えタイミングデータは、例えば、時間情報を１ドットの色替え時間にすると、「傘が」「無いわけじゃー」「ない」「けーれど」はそれぞれ異なるタイミングで色替えさせる。この色替えタイミングは予め音楽の進行にマッチングさせて作成する。また、各歌詞データは演奏データの再生と同期させるように編集する。
【００３１】
次に、この通信カラオケ装置における音楽再生時の処理について説明する。
ＣＰＵ２は、通信制御部１９によってホストからメロディデータを含む演奏データと、歌詞データとを含む曲データを取得し、その曲データをＨＤＤ２５に記憶する。したがって、ＨＤＤ２５には多種類のカラオケ曲の曲データが蓄積される。また、ＨＤＤ２５には各曲データに対応する動画や静止画の背景映像データも蓄積されている。
【００３２】
そして、コントロールパネル９又はリモコン１０からリクエスト曲の曲番号が入力されると、ＣＰＵ２はＨＤＤ２５から上記曲番号に該当する曲データと対応する背景映像データとを読み出し、曲データ中の演奏データをオーディオ制御部１５へ、歌詞データと背景映像データをビデオ制御部１２へ出力する。
【００３３】
オーディオ制御部１５は、演奏データを音源ボード１６へ送り、音源ボード１６は演奏データに基づく音楽信号を再生してアンプ１７へ送り、アンプ１７は音楽信号とマイク１８から入力される歌唱音声の音声信号とをミキシングして増幅し、スピーカ１４から出力する。
【００３４】
また、グラフィック制御部１１は、上記演奏データの再生と同期させて歌詞データ及び背景映像データをビデオ制御部１２へ送り、ビデオ制御部１２は歌詞データに基づく歌詞表示信号と背景映像データに基づく背景映像信号（ＮＴＳＣ信号）を再生してテレビモニタ１３へ出力し、テレビモニタ１３は音楽の進行に同期した背景映像と歌詞を表示する。
【００３５】
さらに、オーディオ制御部１５は、音楽の演奏中は、アンプ１７，音源ボード１６を介して上記音楽に合わせてマイク１８から入力された歌唱音声の音声信号をデータを入力すると、その入力された音声信号と上記演奏データのメロディデータとを比較して予め設定された所定時間（例えば、１００ｍｓｅｃ）毎に音量のずれ，音程のずれ，テンポのずれ等の比較結果データ（採点データ）を検出して出力し、ＣＰＵ２はＨＤＤ２５に記憶されている上記演奏データ中の対応個所に上記採点データをそれぞれ埋め込む。
【００３６】
図４の（ａ）は、演奏データ中に比較結果データを埋め込んだときのフォーマット例を示す図である。
演奏データ中には、曲のテンポを作成する時間情報と、ＭＩＤＩデータと、歌詞表示の同期コードのページ情報とから構成されており、ＭＩＤＩデータ中にメロディデータが含まれている。そして、上記所定時間毎に検出された比較結果データ（図中には「採点データ」と示す）を曲再生時に同期するように対応する個所に格納する。
したがって、次に演奏データを再生したときには、曲の再生と同期した採点データの表示が可能になる。
【００３７】
図４の（ｂ）は、歌詞データ中に採点データを埋め込んだときのフォーマット例を示す図である。
歌詞データ中には、ページ単位の歌詞データがテキストデータで格納されている。この各ページの歌詞データは上記曲データの再生と同期するように編集されている。そして、上記所定時間毎に検出された比較結果データ（図中には「採点データ」と示す）を歌詞再生時に同期するように対応する個所に格納する。
【００３８】
上記処理では、１回目の演奏時に、歌唱音声の音量のずれ，音程のずれ，テンポのずれの比較結果データを所定時間毎に曲データ中に記録する。
そして、２回目以降の演奏時に曲データ中の比較結果データに基づいて前回の音量のずれ，音程のずれ，テンポのずれの比較結果を表示する。
したがって、上記演奏データに採点データを埋め込まなくても曲の再生と同期した採点データの表示が可能になる。
【００３９】
次に、上記演奏データ中に比較結果データが埋め込まれた曲データの再生時、オーディオ制御部１５は、演奏データ中に埋め込まれた比較結果データを検出するとグラフィック制御部１１へ送り、グラフィック制御部１１はその比較結果データをビデオ制御部１２を介してテレビモニタ１３へ送って比較結果を表示させる。
したがって、音楽の進行と同期させて上記比較結果データに基づく比較結果を逐次表示させることができる。
【００４０】
また、上記歌詞データ中に比較結果データが埋め込まれた曲データの再生時、グラフィック制御部１１は、歌詞データ中に埋め込まれた比較結果データを検出するとビデオ制御部１２を介してテレビモニタ１３へ送って比較結果を表示させる。
したがって、この場合でも音楽の進行と同期させて上記比較結果データに基づく比較結果を逐次表示させることができる。
【００４１】
図５は、テレビモニタ１３上の比較結果の表示例を示す図である。
例えば、テレビモニタ１３上には、歌詞中に矢印の上下で音程のずれを、矢印の左右でテンポのずれを、矢印の色で音量のずれをそれぞれ示すと、利用者がどの個所の音程，テンポ，歌唱音量が悪いのかをビジュアルに確認することができ、それを確認しながら再度歌唱して練習し、歌いかたを容易に改善することができる。
【００４２】
次に、上記歌詞データ中に比較結果データが埋め込まれた曲データを再生するとき、コントロールパネル９又はリモコン１０から音楽を消去（無効に）する指示が入力されると、ＣＰＵ２はオーディオ制御部１５に対して演奏データの再生を停止させ、グラフィック制御部１１に対して背景映像データと歌詞データの再生を行なわせる。
【００４３】
そして、グラフィック制御部１１は、背景映像データと歌詞データの再生を実行し、歌詞データ中に埋め込まれた比較結果データを検出するとビデオ制御部１２を介してテレビモニタ１３へ送って背景映像中の歌詞に対して比較結果を表示させる。
【００４４】
また、上記演奏データ中に比較結果データが埋め込まれた曲データを再生するときは、フロントパネル９又はリモコン１０から音楽を消去（無効に）する指示が入力されると、ＣＰＵ２はオーディオ制御部１５に対して演奏データの再生を指示するが音源ボード１６への出力を停止させ、グラフィック制御部１１に対して背景映像データと歌詞データの再生を行なわせる。
【００４５】
そして、オーディオ制御部１５は、演奏データの再生を実行し、比較結果データを検出するとグラフィック制御部１１へ出力する。一方、グラフィック制御部１１は、背景映像データと歌詞データの再生を実行し、オーディオ制御部１５から比較結果データを受け取るとビデオ制御部１２を介してテレビモニタ１３へ送って背景映像中の歌詞に対して比較結果を表示させる。
【００４６】
このようにして、マイクを用いて歌詞中の比較結果を確認しながら繰り返して歌唱するときに、演奏音楽に気を取られずに自己の歌唱音声のみを聞き取ることができるので、利用者は音量，音程，及びテンポ等の調整を容易に行なえるようになる。
【００４７】
次に、上記比較結果データが埋め込まれた曲データを再生するとき、コントロールパネル９又はリモコン１０から指導音声を出力する指示が入力されると、ＣＰＵ２は音楽の進行と同期させて上記比較結果データに基づく比較結果の表示に代えて、ＨＤＤ２５に記憶されている上記比較結果データに対応する歌唱指導データに基づく歌唱指導音声を出力する。
【００４８】
まず、上記グラフィック制御部１１又はオーディオ制御部１５において比較結果データが検出されると、ＨＤＤ２５から比較結果データに対応する歌唱指導データを読み出してオーディオ制御部１５へ出力する。
オーディオ制御部１５は、歌唱指導データを受け取ると音源ボード１６へ送り、音源ボード１６は歌唱指導データに基づく歌唱指導音声を生成してアンプ１７を介してスピーカ１４へ出力する。
【００４９】
例えば、ＨＤＤ２５に比較結果データに対応する歌唱指導データとして「歌声が低すぎる」「音程が低すぎる」「音程が高すぎる」「テンポが早すぎる」「テンポが遅すぎる」などの歌唱指導音声のＰＣＭデータを登録し、比較結果データの検出と共に曲の再生に同期させて再生するようにする。
なお、ＰＣＭデータの再生タイミングとしては歌うポイントよりも若干早めに再生するようにすれば、利用者が歌う前に歌唱指導を聞き取ることができ、その歌唱指導にしたがって正しく歌うことができる。
【００５０】
このようにして、利用者は１回目に歌った曲を再度歌うときに、比較結果の悪かった個所で音声による具体的な改善指導を受けることができ、歌いかたの悪かった部分を直し易くなる。
【００５１】
次に、上記比較結果データが埋め込まれた曲データを再生するとき、コントロールパネル９又はリモコン１０から比較結果の最も悪かった部分の繰り返しの指示が入力されると、ＣＰＵ２はグラフィック制御部１１又はオーディオ制御部１５に対して最も悪い比較結果が埋め込まれているページや小節の区間の検索を指示し、グラフィック制御部１１又はオーディオ制御部１５は１曲分のデータ中から最も悪い比較結果のある区間を検出し、曲データの再生時にその区間を繰り返して再生する。また、再生開始と共にその区間のみを繰り返し再生するようにしてもよい。
【００５２】
このようにして、利用者は２回目以降の歌唱時に１回目に歌ったときの比較結果が悪かった個所を繰り返し歌い直して練習することができる。
【００５３】
なお、上述の処理では１回目に歌唱時に記録した比較結果データを２回目以降も使用するようにしたが、ＣＰＵ２の制御によって何回か利用した後に曲データ中の比較結果データを消去したり書き換えたりすれば、同じ曲の歌唱練習のときに、何度か歌ううちに良くなった個所の比較結果が表示されなくなり、繰り返して歌うにつれて比較結果の表示数がだんだん少なくなって練習意欲を高めることができ、歌唱力を効率良く向上させることができる。
【００５４】
また、上述の実施例では通信カラオケ装置の場合を説明したが、カラオケ音楽の再生出力が可能なパーソナルコンピュータや、カラオケ装置においても同様に実施することができる。
【００５５】
【発明の効果】
以上説明してきたように、この発明による音楽演奏装置によれば、利用者が歌唱後にどの個所をどのように歌えば良いかを具体的に確認しながら再度歌唱できるので、短時間で歌唱力を向上させることができる。
【図面の簡単な説明】
【図１】この発明の一実施形態である通信カラオケ装置の構成を示すブロック図である。
【図２】図１に示したテレビモニタ上の歌詞表示例を示す図である。
【図３】図２に示した歌詞データ中の歌詞色替えタイミングデータのフォーマットの一例を示す図である。
【図４】演奏データ中に比較結果データを埋め込んだときのフォーマット例と歌詞データ中に採点データを埋め込んだときのフォーマット例を示す図である。
【図５】図１に示したテレビモニタ上の比較結果の表示例を示す図である。
【符号の説明】
１：システムバス    ２：ＣＰＵ
３：ＲＯＭ          ４：ＲＡＭ
５：ＤＭＡＣ        ６：ＩＮＴＣ
７：タイマ（ＴＩＭＥＲ）
８，２２：シリアルインタフェース（ＳＥＲＩＡＬ・Ｉ／Ｆ）
９：コントロールパネル  １０：リモコン
１１：グラフィック制御部
１２：ビデオ（ＶＩＤＥＯ）制御部
１３：テレビモニタ      １４：スピーカ
１５：オーディオ（ＡＵＤＩＯ）制御部
１６：音源ボード        １７：アンプ
１８：マイク            １９：通信制御部
２０：ＩＳＤＮインタフェース（ＩＳＤＮ・Ｉ／Ｆ）
２１：ＩＳＤＮ          ２３：ＶＣＤプレーヤ
２４：スカジーインタフェース（ＳＣＳＩ・Ｉ／Ｆ）
２５：ハードディスク装置（ＨＤＤ）
【図１】
0003673385.tif 000002
【図２】
0003673385.tif 000003
【図３】
0003673385.tif 000004
【図４】
0003673385.tif 000005
【図５】
0003673385.tif 000006